(57)【要約】【課題】チャッカーとこのチャッカーをスライド可能に支持するガイドシャフトとの間でのこじれの発生を防止または抑制するとともに、用紙搬送部の側方からの印画紙の除去作業を容易に行うことのできる写真処理装置を提供する。【解決手段】第１把持機構３２と第２把持機構３３との間隙Ｓと駆動ユニット１８とが高さ方向に比較的大きく離間するように、駆動ユニット１８をチャッカー１９の下部側に配設し、無端ベルトのうち上側のベルト部の上面に第２把持機構３３を連結した。また、第２，第３ガイドシャフト２１，２２を、第２把持機構３３の連結部３３ｂと略同じ高さ位置で嵌合し、チャッカー１９と無端ベルト３０との連結位置と第１ガイドシャフト２０とを高さ方向に離間させることにより、第１ガイドシャフト２０とブッシュ３４とのこじれが発生するのを防止または抑制するようにした。【選択図】　　　図３
2004117570.tif 000002
【特許請求の範囲】
【請求項１】
上下に対向する上側把持ユニット及び下側把持ユニットが一体化されてなり、両把持ユニット間に形成された間隙に供給される用紙を前記両把持ユニットで把持するチャッカーと、前記チャッカーに連結され、前記チャッカーを所定の領域内で往復動させる駆動部と、前記上側把持ユニットをスライド可能に支持して前記チャッカーの往復動をガイドする第１のガイドシャフトとを有する用紙搬送部を備えた写真処理装置において、
前記駆動部を、前記間隙から所定の距離だけ下方に離間して前記下側把持ユニットに連結するとともに、
前記下側把持ユニットと前記駆動部との連結位置と略同じ高さ位置に、前記下側把持ユニットをスライド可能に支持して前記チャッカーの往復動をガイドする第２のガイドシャフトを備えたことを特徴とする写真処理装置。
【請求項２】
前記用紙搬送部は、用紙搬送方向の側方のみ外部に対して開放可能に構成されていることを特徴とする請求項１に記載の写真処理装置。
【請求項３】
前記用紙搬送部の下流に用紙を露光する露光部を備えることを特徴とする請求項１または２に記載の写真処理装置。
【請求項４】
前記駆動部は、前記チャッカーの幅方向両側に備えられているとともに、各駆動部は相互に独立して前記チャッカーを駆動可能とされており、前記上側把持ユニットは、前記第１のガイドシャフトを含む、用紙搬送面と平行な面上で、該第１のガイドシャフトに揺動可能に支持されているとともに、前記第２のガイドシャフトは、前記チャッカーの幅方向に延びる長穴に嵌合されていることを特徴とする請求項１ないし３のいずれかに記載の写真処理装置。
【発明の詳細な説明】
【０００１】
【発明の属する技術分野】
本発明は、印画紙に写真画像などを露光して現像する写真処理装置の技術分野に属し、特に、マガジンから繰り出した印画紙を露光装置に搬送する搬送装置に関する。
【０００２】
【従来の技術】
従来、巻回された印画紙を収納するマガジンから繰り出された長尺状の印画紙を所定長さの印画紙シートに切断する切断部、切断部により切断して生成された印画紙シートに写真画像などを露光する露光部及び露光された印画紙シートの画像を顕在化する現像部等からなる写真処理装置が知られている（例えば、特許文献１参照）。
【０００３】
また、この種の写真処理装置には、例えば図６に示すように、切断部と露光部との間に用紙搬送部が配設される構成を備えたものがある。用紙搬送部は、搬送方向から見た図６に示すように、印画紙を把持するチャッカー１０１と、チャッカー１０１の外側方でそれぞれ紙面垂直方向に張設された無端ベルトを備えてなるベルト機構１０２と、ベルト機構１０２を周回駆動する図略のモータと、ブッシュ１０３を介してチャッカー１０１をスライド可能に支持するガイドシャフト１０４とを備えて構成されている。チャッカー１０１は、無端ベルトの適所に連結具１０１１により連結されており、モータによる無端ベルトの駆動方向及び駆動量を制御することで、上流側で把持した印画紙シートを下流側の露光部近傍の所定位置まで搬送するようになっている。なお、コロ１０５は、チャッカー１０１がガイドシャフト１０４を軸中心として回転するのを防止するとともに、チャッカー１０１をスムーズに走行させるためのものである。
【０００４】
【特許文献１】
特開２０００−２７９７５３号公報
【０００５】
【発明が解決しようとする課題】
ところで、図６に示す用紙搬送部においては、ベルト機構１０２とチャッカー１０１との連結位置が、ガイドシャフト１０４の配設位置と高さ方向において略同じ位置になるように構成されている（図６の１点鎖線参照）。これは、後述するように、ベルト機構１０２を駆動したとき、ガイドシャフト１０４とチャッカー１０１のブッシュ１０３とがこじれるのを防止するためである。
【０００６】
しかしながら、このように構成した場合、チャッカー１０１等の構造上、チャッカー１０１による印画紙の把持位置Ｔが、ベルト機構１０２の配設位置と高さ方向において近接することとなる。この場合、チャッカー１０１と露光部との間に印画紙の紙詰まりが発生すると、ベルト機構１０２が障害となって用紙搬送部の側方から詰まった印画紙を除去することが困難になるという問題が発生する。これは、他の装置や部材の配置等の関係から用紙搬送部の左右の側方にしか作業空間を形成できない写真処理装置においては、特に大きな問題となる。
【０００７】
この問題を解決するために、例えば図７に示すように、ベルト機構１０２を、チャッカー１０１の下部側にずらしてチャッカー１０１と連結し、ベルト機構１０２を印画紙の把持位置Ｔから比較的大きく離間（離間距離Ｌ）させることで、印画紙の除去作業を行うためのスペースを設けるように構成することが考えられる。しかし、このように構成した場合には、チャッカー１０１及びベルト機構１０２の連結位置とガイドシャフト１０４とが異なる高さ位置に配設されることになるため、ベルト機構１０２の駆動時に、チャッカー１０１のブッシュ１０３とガイドシャフト１０４との間でこじれが発生することとなる。
【０００８】
なお、ガイドシャフト１０４とブッシュ１０３とのこじれとは、次のようなものである。図８は、図６のＺ−Ｚ線矢視図である。
【０００９】
図８において、チャッカー１０１の移動方向を矢印Ｑで表すとき、チャッカー１０１には、矢印Ｒ方向の慣性モーメントが作用する。このため、チャッカー１０１が実線で示すように矢印Ｒ方向に傾斜し、ブッシュ１０３の後方上端と前方下端がガイドシャフト１０４に強く当接する状態となる。その結果、ブッシュ１０３とガイドシャフト１０４との間に、駆動方向と逆向きの大きな摩擦力Ｆが発生し、これがガイドシャフト１０４とブッシュ１０３とのこじれとなる。このように、ガイドシャフト１０４とブッシュ１０３とがこじれると、チャッカー１０１が規定の速度で走行しなかったり、あるいはチャッカー１０１がほとんど走行しなくなるという不具合が発生することとなる。特に、ベルト機構１０２のモータがパルス制御されるような態様では、適正な用紙搬送は期待し難いものとなる。
【００１０】
本発明は、上記に鑑みてなされたもので、チャッカーとこのチャッカーをスライド可能に支持するガイドシャフトとの間でのこじれの発生を防止または抑制するとともに、用紙搬送部の側方からの印画紙の除去作業を容易に行うことのできる写真処理装置を提供することを目的とする。
【００１１】
【課題を解決するための手段】
請求項１に記載の発明は、上下に対向する上側把持ユニット及び下側把持ユニットが一体化されてなり、両把持ユニット間に形成された間隙に供給される用紙を前記両把持ユニットで把持するチャッカーと、前記チャッカーに連結され、前記チャッカーを所定の領域内で往復動させる駆動部と、前記上側把持ユニットをスライド可能に支持して前記チャッカーの往復動をガイドする第１のガイドシャフトとを有する用紙搬送部を備えた写真処理装置において、前記駆動部を、前記間隙から所定の距離だけ下方に離間して前記下側把持ユニットに連結するとともに、前記下側把持ユニットと前記駆動部との連結位置と略同じ高さ位置に、前記下側把持ユニットをスライド可能に支持して前記チャッカーの往復動をガイドする第２のガイドシャフトを備えたことを特徴とするものである。
【００１２】
この発明によれば、駆動部を、上側把持ユニットと下側把持ユニットとの間に形成された間隙から所定の距離だけ下方に離間して前記下側把持ユニットに連結したので、チャッカーによる印画紙の把持位置が駆動部から高さ方向に離間され、印画紙の把持位置の側方にスペースが形成される。したがって、このスペースを利用して印画紙の除去作業を行うことが可能となる。
【００１３】
また、下側把持ユニットと駆動部との連結位置と略同じ高さ位置に、下側把持ユニットをスライド可能に支持してチャッカーの往復動をガイドする第２のガイドシャフトを備えたので、駆動部を上側把持ユニットと下側把持ユニットとの間隙から所定の距離だけ下方に離間して下側把持ユニットに連結する構成としたことに起因して、駆動部の駆動時に該チャッカーの姿勢が変化し、第１のガイドシャフトとチャッカーとのこじれが発生するのを防止することができる。
【００１４】
請求項２に記載の発明は、請求項１に記載の写真処理装置において、前記用紙搬送部は、用紙搬送方向の側方のみ外部に対して開放可能に構成されていることを特徴とするものである。この発明によれば、用紙搬送部が用紙搬送方向の側方のみ外部に対して開放可能に構成されているものに、請求項１に記載の発明を適用することにより、印画紙の除去作業の点で特に有効となる。
【００１５】
請求項３に記載の発明は、請求項１または２に記載の写真処理装置において、前記用紙搬送部の下流に用紙を露光する露光部を備えることを特徴とするものである。この発明によれば、用紙搬送部の下流に用紙を露光する露光部を備える構成のものに、請求項１に記載の発明を適用することにより、露光部と用紙搬送部との間に詰まった用紙の除去作業の点で特に有効となる。
【００１６】
請求項４に記載の発明は、請求項１ないし３のいずれかに記載の写真処理装置において、前記駆動部は、前記チャッカーの幅方向両側に備えられているとともに、各駆動部は相互に独立して前記チャッカーを駆動可能とされており、前記上側把持ユニットは、前記第１のガイドシャフトを含む、用紙搬送面と平行な面上で、該第１のガイドシャフトに揺動可能に支持されているとともに、前記第２のガイドシャフトは、前記チャッカーの幅方向に延びる長穴に嵌合されていることを特徴とするものである。この発明によれば、駆動部をチャッカーの幅方向両側に備えるとともに、各駆動部を相互に独立してチャッカーを駆動可能とし、上側把持ユニットを、第１のガイドシャフトを含む、用紙搬送面と平行な面上で、該第１のガイドシャフトに揺動可能に支持するとともに、第２のガイドシャフトを、チャッカーの幅方向に延びる長穴に嵌合するようにしたので、一方の駆動部のみでチャッカーを駆動した場合に、チャッカーは、用紙搬送方向（ガイドシャフトの軸方向）に対する傾き（姿勢）を変化することができる。その結果、チャッカーに用紙を把持させた状態で一方の駆動部のみを作動させることにより、用紙搬送方向に対する用紙の傾きを補正することが可能となる。
【００１７】
【発明の実施の形態】
本発明に係る写真処理装置の実施形態について説明する。
【００１８】
図１は、写真処理装置の一実施形態を示す概略構成図である。図１に示すように、写真処理装置１は、写真処理機本体２と、この写真処理機本体２にプリント予定のコマ画像等の画像データを出力する画像入力装置３とからなる。
【００１９】
画像入力装置３は、画像データを記憶するディスク等の記録媒体を着脱可能に装填すると共に、装填された記録媒体から所望の画像データを読み込むディスクドライブ４、読み込んだ画像データを画像としてモニタ表示するディスプレイ５、読み込んだ画像に対して濃度や色等に対する所定の処理の指示やプリントの指示等の各種指示を行うための操作部６、及びプリント予定の画像データに所定の処理を行うと共に、処理画像を写真処理機本体２に出力する制御部７を備える。
【００２０】
写真処理機本体２には、ハウジング２ａの内部適所に巻回された印画紙を収納するマガジン８が交換可能に搭載されている。印画紙は、樹脂などで形成される薄層の支持体とその一方面側に乳剤層、さらにコーティング層が形成されているものである、乳剤層は、露光された位置が後述の現像液によって赤、青、緑の各色に発色する染料や顔料が層状に形成されるもので、写真焼付用の印画紙として一般的なものが採用されている。
【００２１】
ハウジング２ａ内には、マガジン８から繰り出された印画紙を下流側へ向けて搬送する搬送路Ｒが形成されるとともに、図示しないが、この搬送路Ｒに沿って、モータ等からなる駆動機構により回転駆動される搬送ローラ対が所定ピッチで配設されている。搬送路Ｒ上には、搬送路Ｒに対面する姿勢を有して帯状の印画紙を所定サイズの印画紙シートＰｓ（図５参照）に切断するカッタ９と、下流側の露光部１１に印画紙シートＰｓを適切な向きで供給するための用紙搬送部１０と、画像入力装置３から入力された画像データを光学的に、例えばライン露光によって印画紙シートＰｓ面に露光する露光部１１と、印画紙シートＰｓ面に露光された画像を顕在化するための現像部１２と、現像後の印画紙シートＰｓを乾燥しながら例えばベルト搬送する乾燥部１３と、乾燥処理された印画紙シートＰｓを排出し、例えばオーダ毎に積層するソート機能を備えた排出部１４とを備え、さらに写真処理機本体２の各部の動作を制御する制御部１５を所定位置に備えている。
【００２２】
カッタ９は、画像入力装置３側から入力された写真サイズ情報と、印画紙の搬送量を検出するセンサ（例えば駆動機構への駆動パルス数等）からの出力情報とによって、所定寸法分移送される毎に切断動作を行うように構成されている。
【００２３】
用紙搬送部１０は、マガジン８から繰り出され、カッタ９で切断された印画紙シートＰｓを露光部１１に搬送するものである。写真処理機本体２の前面には、開閉扉１６が設けられており、例えば引手１６ａを手前に引いて開閉扉１６を開放することで、用紙搬送部１０（用紙搬送部１０の用紙搬送方向に対する一側方）が露出し、用紙搬送部１０と露出部１１との間で印画紙シートＰｓが詰まった場合には、この側方から印画紙の除去作業を行えるようになっている。本実施形態では、この印画紙の除去作業を可能にすべく用紙搬送部１０を構成しているところに特徴を有している。この特徴部分を含む用紙搬送部１０の詳細な構造については後述する。
【００２４】
露光部１１は、例えばＲＧＢ各色のレーザ発生器からのレーザビームを画像濃度情報によって各色毎に光変調するとともに、各変調ビームをポリゴンミラー等を介して印画紙シートＰｓ面上で幅方向にライン走査させるもので、印画紙シートＰｓの移送によってシート面上に２次元のカラー画像を露光するものである。
【００２５】
現像部１２は、それぞれ現像液、定着液、漂白液及び安定化液を収容するタンクを有し、露光部１１によって露光された印画紙シートＰｓを図略の内部搬送系に沿って移送することで露光された潜像を顕在化する。
【００２６】
次に、用紙搬送部１０の詳細な構造について説明する。図２は、用紙搬送部１０の斜視図、図３は、図２のＡ−Ａ線矢視図である。
【００２７】
図２に示すように、用紙搬送部１０は、取込ユニット１７、駆動ユニット１８、チャッカー１９及びガイドシャフト２０〜２２を備えてなる。
【００２８】
取込ユニット１７は、マガジン８から繰り出されて水平に搬送された印画紙Ｐを挟持して用紙搬送部１０の内部に取り込むもので、上側のアドバンスローラ２３と下側の圧着ローラ２４とを圧接させた状態で図略の本体フレームに懸架されている。取込ユニット１７は、アドバンスローラ２３と圧着ローラ２４とで印画紙Ｐを挟み込み、アドバンスローラ２３に連結されたモータ２５により、アドバンスローラ２３をその軸を中心として矢印Ｂ方向に回転駆動することにより、圧着ローラ２４が従動的に矢印Ｃ方向に回転し、その結果、印画紙シートＰｓが下流側のチャッカー１９に供給される。
【００２９】
駆動ユニット１８は、チャッカー１９の両側方にそれぞれ配設されており、アドバンスローラ２３に略垂直に配設された搬送ユニット２６と、この搬送ユニット２６を駆動するモータ２７とを備えてなる。
【００３０】
搬送ユニット２６は、上流側及び下流側に所定の間隔を介して配設されたプーリ２８，２９に無端ベルト３０が架け渡されて構成されたものである。後述するように、無端ベルト３０のうち上側のベルト部３０１の上面適所にチャッカー１９が連結されている。
【００３１】
モータ２７は、印画紙シートＰｓを把持したチャッカー１９を下流側に移動させてその印画紙シートＰｓを露光部１１に供給すべく、本実施形態では、下流側のプーリ２９を回転駆動して無端ベルト３０を走行させるものである。モータ２７は、印画紙Ｐがカッタ９により切断された後にチャッカー１９を矢印Ｆ方向に走行させるべく、プーリ２９を矢印Ｘ方向に回転駆動する一方、チャッカー１９が印画紙シートＰｓの把持を解除すると、チャッカー１９を矢印Ｇ方向に走行させるべく、プーリ２９を矢印Ｙ方向に回転駆動する。
【００３２】
チャッカー１９は、取込ユニット１７から供給された印画紙Ｐを把持して露光部１１に搬送するためのものである。
【００３３】
図３に示すように、チャッカー１９は、バネ等により下方への付勢力が作用され、下面から出没可能にされたチャックピン３１を備えた第１把持機構３２と、印画紙シートＰｓ等の一部が載置される載置部３３ａを備えた第２把持機構３３とが一体化して構成されている。チャッカー１９は、第１把持機構３２のチャックピン３１を第２把持機構３３の載置部３３ａに向けて突出して押し付けることにより、第１把持機構３２と第２把持機構３３との間に形成された間隙Ｓに供給される印画紙Ｐをチャックピン３１と載置部３３ａとで把持する。
【００３４】
第２把持機構３３の側面適所には、外側方に延びる連結部３３ｂが形成されており、チャッカー１９は、連結部３３ｂを介して駆動ユニット１８の無端ベルト３０に連結されている。これにより、チャッカー１９は、駆動ユニット１８の駆動により、印画紙シートＰｓ等を把持する取込ユニット１７近傍の把持位置と、その把持を解除する露光部近傍の解除位置との間で往復動（走行）を行う。また、チャッカー１９は、把持位置において、バネの付勢力によりチャックピン３１を下方に突出させることで印画紙シートＰｓ等を把持し、解除位置において、突出させていたチャックピン３１を、例えば電磁ソレノイド等を作動させることで付勢力に抗して上方に退避させることで、印画紙シートＰｓの把持を解除する。
【００３５】
図２に示すように、第１把持機構３２及び第２把持機構３３には、各把持機構３２，３３をスライド可能に支持してチャッカー１９の走行をガイドすべく、用紙搬送方向に沿って延びる第１〜第３ガイドシャフト２０〜２２がそれぞれブッシュ３４〜３６を介して嵌合している。第１ガイドシャフト２０は、第１把持機構３２の幅方向略中央位置に形成された凹部３２１内に収納されるブッシュ３４に嵌合し、第２，第３ガイドシャフト２１，２２は、第２把持機構３３の幅方向両側適所に取り付けられたブッシュ３５，３６に嵌合している。なお、各ガイドシャフト２０〜２２は、写真処理機本体２の本体フレーム（図示せず）に支持されている。
【００３６】
その場合に、図３の１点鎖線で示すように、第２，第３ガイドシャフト２１，２２は、第２把持機構３３の連結部３３ｂと略同じ高さ位置で嵌合している。このように構成した理由を説明する。
【００３７】
上述したように、本実施形態に係る写真処理装置１の用紙搬送部１０は、開閉扉１６により側方にしか外部に開放できないように構成されているため、第１把持機構３２と第２把持機構３３との間隙Ｓが駆動ユニット１８の特に無端ベルト３０と高さ方向において近接していると、チャッカー１９と露光部１１との間で印画紙シートＰｓが詰まった場合に、無端ベルト３０等が障害となり、その側方からの印画紙シートＰｓの除去作業が困難となる。そこで、本実施形態では、その印画紙シートＰｓの容易な除去作業を可能にするために、第１把持機構３２と第２把持機構３３との間隙Ｓと駆動ユニット１８とが高さ方向に比較的大きく離間するように、駆動ユニット１８をチャッカー１９の下部側に配設し、無端ベルト３０のうち上側のベルト部３０１の上面にチャッカー１９の第２把持機構３３を連結している。
【００３８】
また、このようにチャッカー１９（第２把持機構３３）と無端ベルト３０との連結位置と第１ガイドシャフト２０とを高さ方向に離間させると、駆動ユニット１８の駆動時に、チャッカー１９のブッシュ３４と第１ガイドシャフト２０との間でこじれが発生する虞があるため、このようなこじれの発生を防止するために、第２，第３ガイドシャフト２１，２２を、チャッカー１９と無端ベルト３０との連結位置と略同じ高さ位置に配設することで、そのこじれの発生を防止抑制し、チャッカー１９がスムーズに走行するように構成している。
【００３９】
用紙搬送部１０は、印画紙Ｐを露光部１１に適切な向きで供給するために、チャッカー１９が解除位置に到達すると、一方の駆動ユニット１８を単独で微小量だけ余分に駆動することにより、用紙搬送方向に対するチャッカー１９の向き、延いてはチャッカー１９に把持されている印画紙シートＰｓの向きを微調整する機能を有している。この機能を実現するために、第１把持機構３２を、第１ガイドシャフト２０に用紙搬送面と平行な面上で揺動可能に支持させている。
【００４０】
図４は、図３におけるＤ−Ｄ線矢視図である。
【００４１】
図４に示すように、第１ガイドシャフト２０と嵌合するブッシュ３４は、第１ガイドシャフト２０が嵌合する嵌合穴３４１ａを備えた第１嵌合部位３４１と、この第１嵌合部位３４１から突出し、第１把持機構２０の上面適所に形成された嵌合穴３２２に嵌合する第２嵌合部位３４２とでなるＴ字状の部材であり、第１把持機構３２の嵌合穴３２２とブッシュ３４の第２嵌合部位３４２との遊嵌構造により、第１把持機構３２とブッシュ３４とが相対回転自在に構成されている。図３に示すように、ブッシュ３４に嵌合する第１ガイドシャフト２０は上述したように図略の本体フレームに固定されており、第１ガイドシャフト２０と嵌合する第１嵌合部位３４１の嵌合穴３４１ａが、第１ガイドシャフト２０と幅方向に略同径とされていることで、第１嵌合部位３４２を軸中心とする回転が規制されているので、第１把持機構３２は、ブッシュ３４の第２嵌合部位３４２を軸中心として揺動する。これにより、第１ガイドシャフト２０を含む用紙搬送面と平行な面上で、第１把持機構３２を揺動させることができる。
【００４２】
また、第１ガイドシャフト２０を含む用紙搬送面と平行な面上で、第２把持機構３３を揺動させることができるように、図３に示すように、第２，第３ガイドシャフト２１，２２が嵌合するブッシュ３５，３６の嵌合穴３５１，３６１を、幅方向に長い長穴に形成している。
【００４３】
以上の構成により、解除位置に到達したチャッカー１９に把持されている印画紙シートＰｓが、例えば図５の実線で示すように、露光部１１に対して傾斜している場合には、図５における下側の駆動ユニット１８の無端ベルト３０を矢印Ｅ方向に微小量駆動して、チャッカー１９を、ブッシュ３４の第２嵌合部位３４２を中心として反時計周りに揺動させることで、１点鎖線で示すように、露光部１１に対し適正な向きに印画紙シートＰｓの傾きを補正することができる。
【００４４】
なお、第１ガイドシャフト２０と嵌合するブッシュ３４の嵌合穴３４１ａは、第１把持機構３２、延いてはチャッカー１９全体の幅方向（図３の矢印Ｓ方向）の移動を規制すべく、幅方向の径はガイドシャフト１９と略同径に形成されている一方、第１ガイドシャフト２０との摺接面を少なくして低摩擦とすべく、高さ方向はその径より長く形成されている。
【００４５】
また、第２，第３ガイドシャフト２１，２２が嵌合するブッシュ３５，３６の嵌合穴３５１，３６１は、第２把持機構３３、延いてはチャッカー１９全体の高さ方向の移動を規制すべく、高さ方向（図３の矢印Ｔ方向）の径は、第２，第３ガイドシャフト２１，２２と略同径に形成されている。また、第２把持機構３３の幅方向両側に２本のガイドシャフト（第２，第３ガイドシャフト２１，２２）を配設したので、第２把持機構３３の幅方向略中央位置に１本のガイドシャフトしか配設しない場合に比して、チャッカー１９が第１ガイドシャフト２０を軸中心として回転するのを確実に防止することができる。
【００４６】
このように、第１把持機構３２と第２把持機構３３との間隙Ｓと駆動ユニット１８とが高さ方向に比較的大きく離間するように、駆動ユニット１８をチャッカー１９の下部側に配設し、無端ベルト３０のうち上側のベルト部３０１の上面に第２把持機構３３を連結したので、用紙搬送部１０が側方しか外部に開放できないように構成された本写真処理装置１においても、チャッカー１９と露光部１１との間で詰まった印画紙の除去作業を行うことができる。
【００４７】
また、第２，第３ガイドシャフト２１，２２を、第２把持機構３３の連結部３３ｂと略同じ高さ位置で嵌合したので、チャッカー１９と無端ベルト３０との連結位置と第１ガイドシャフト２０とが高さ方向に離間することに起因して発生しようとする、第１ガイドシャフト２０とブッシュ３４とのこじれを未然に解消または抑制し、チャッカー１９をスムーズに走行させることができる。
【００４８】
さらに、一方の駆動ユニット１８を単独の駆動を可能とするとともに、第１把持機構３２を、ブッシュ３４の第２嵌合部位３４２を軸中心として揺動可能とし、また、第２，第３ガイドシャフト２１，２２が嵌合するブッシュ３５，３６の嵌合穴３５１，３６１を幅方向に長い長穴に形成したので、用紙搬送方向に対するチャッカー１９の向き、延いてはチャッカー１９に把持されている印画紙シートＰｓの向きを微調整することができる。その結果、印画紙を露光部１１に適切な向きで供給することができる。
【００４９】
また、図６に示すようなコロ１０５に代えて、第２，第３ガイドシャフト２１，２２でコロ１０５の機能を達成するようにしたので、第２，第３ガイドシャフト２１，２２を採用する構成の方が、コロ１０５を採用する構成に比してコストが小さくなる場合には、写真処理装置１の製造コストを低減することができる。
【００５０】
なお、上記実施形態においては、駆動ユニット１８の無端ベルト３０がチャッカー１９の両側方にそれぞれ連結されたものに本発明を適用したが、これに限られず、無端ベルト３０が第２把持機構３３の内部に連結される構成のものについても、本発明は適用可能である。
【００５１】
【発明の効果】
請求項１に記載の発明によれば、駆動部を、上側把持ユニットと下側把持ユニットとの間に形成された間隙から所定の距離だけ下方に離間して下側把持ユニットに連結し、チャッカーによる印画紙の把持位置を駆動部から高さ方向に離間して、印画紙の把持位置の側方にスペースを形成したので、このスペースを利用して印画紙の除去作業を行うことができる。
【００５２】
また、下側把持ユニットと駆動部との連結位置と略同じ高さ位置に、下側把持ユニットをスライド可能に支持してチャッカーの往復動をガイドする第２のガイドシャフトを備えたので、駆動部を上側把持ユニットと下側把持ユニットとの間隙から所定の距離だけ下方に離間して下側把持ユニットに連結する構成としたことに起因して、駆動部の駆動時に該チャッカーの姿勢が変化し、第１のガイドシャフトとチャッカーとのこじれが発生するのを防止することができる。
【００５３】
請求項２に記載の発明によれば、用紙搬送部が用紙搬送方向の側方のみ外部に対して開放可能に構成されているものに、請求項１に記載の発明を適用することにより、印画紙の除去作業の点で特に有効となる。
【００５４】
請求項３に記載の発明によれば、用紙搬送部の下流に用紙を露光する露光部を備える構成のものに、請求項１に記載の発明を適用することにより、露光部と用紙搬送部との間に詰まった用紙の除去作業の点で特に有効となる。
【００５５】
請求項４に記載の発明によれば、駆動部を、チャッカーの幅方向両側に備えるとともに、各駆動部を相互に独立してチャッカーを駆動可能とし、上側把持ユニットを、第１のガイドシャフトを含む、用紙搬送面と平行な面上で、該第１のガイドシャフトに対して揺動可能に支持するとともに、第２のガイドシャフトを、チャッカーの幅方向に延びる長穴に嵌合するようにしたので、用紙搬送方向に対する用紙の傾きを補正することができる。
【図面の簡単な説明】
【図１】写真処理装置の一実施形態を示す概略構成図である。
【図２】搬送部の斜視図である。
【図３】図２のＡ−Ａ線矢視図である。
【図４】図３のＤ−Ｄ線矢視図である。
【図５】印画紙の傾き補正を説明するための説明図である。
【図６】従来の用紙搬送部の構成を示す図である。
【図７】ベルト機構をチャッカーの下部側にずらしてチャッカーとベルト機構とを連結した場合の構成を示す図である。
【図８】図６のＺ−Ｚ線矢視図である。
【符号の説明】
１　　　写真処理装置
２　　　写真処理機本体
１０　　用紙搬送部
１１　　露光部
１６　　開閉扉
１７　　取込ユニット
１８　　駆動ユニット
１９　　チャッカー
２０〜２２　ガイドシャフト
３０　　無端ベルト
３２　　第１把持機構
３３　　第２把持機構
３３ａ　載置部
３３ｂ　連結部
３４〜３６　ブッシュ
３４１　第１嵌合部位
３４１ａ　嵌合穴
３２２　　嵌合穴
３４２　　第２嵌合部位
３５１，３６１　嵌合穴
【図１】
2004117570.tif 000003
【図２】
2004117570.tif 000004
【図３】
2004117570.tif 000005
【図４】
2004117570.tif 000006
【図５】
2004117570.tif 000007
【図６】
2004117570.tif 000008
【図７】
2004117570.tif 000009
【図８】
2004117570.tif 000010